(57)【要約】【課題】オン状態とスタンバイ状態との２状態を有する電気回路に対して電源電圧を降圧して電力を供給するにあたり、平均電流の削減を図ることのできる降圧電源電圧使用回路を実現する。【解決手段】電気回路２のオン状態で降圧効率の高い高効率降圧電源回路７の出力端子６と、電気回路２のスタンバイ状態では漏れ電流の極めて少ない低効率降圧電源回路５の出力端子８とを、電気回路２の電源端子３にともに接続する。オン状態では高効率降圧電源回路７から電気回路２へ電力を供給し、スタンバイ状態では低効率降圧電源回路５から電気回路２に電力を供給する。【選択図】図１
2005269750.tif 000002
【特許請求の範囲】
【請求項１】
元電源電圧からの降圧電圧を使用する電気回路を備え、上記電気回路には通常動作電流が流れるオン状態と、微小動作電流が流れるスタンバイ状態とが存在する降圧電源電圧使用回路において、
上記電気回路は、
上記元電源電圧を上記降圧電圧に降圧し、上記オン状態での降圧効率が高い方の電源回路である第１の電源回路と、上記元電源電圧を上記降圧電圧に降圧する、もしくは上記元電源電圧を直接出力する、上記スタンバイ状態での降圧効率が高い方の電源回路である第２の電源回路とから電力供給されることが可能であり、
上記オン状態では上記第１の電源回路から電力供給され、上記スタンバイ状態では上記第２の電源回路から電力供給されることを特徴とする降圧電源電圧使用回路。
【請求項２】
上記電気回路の電源端子の、上記第１の電源回路の出力端子への接続と、上記第２の電源回路の出力端子への接続との切り替えを行うスイッチを備えていることを特徴とする請求項１に記載の降圧電源電圧使用回路。
【請求項３】
上記スイッチは、上記切り替えを、上記電気回路に上記オン状態および上記スタンバイ状態を指示する信号を用いて行うことを特徴とする請求項２に記載の降圧電源電圧使用回路。
【請求項４】
上記オン状態で、上記第１の電源回路は動作状態になるとともに上記第２の電源回路は非動作状態になり、
上記スタンバイ状態で、上記第１の電源回路は非動作状態になるとともに上記第２の電源回路は動作状態になることを特徴とする請求項１に記載の降圧電源電圧使用回路。
【請求項５】
上記オン状態で、上記電気回路の電源端子は上記第１の電源回路の出力端子に接続されるとともに、上記第２の電源回路の出力端子は上記第１の電源回路の出力端子から切り離され、
上記スタンバイ状態で、上記電気回路の電源端子は上記第２の電気回路の出力端子に接続されるとともに、上記第１の電気回路の出力端子は上記第２の電源回路の出力端子から切り離されることを特徴とする請求項４に記載の降圧電源電圧使用回路。
【請求項６】
上記オン状態では、上記第１の電源回路は動作状態になるとともに、上記第２の電源回路の出力端子は上記電気回路の電源端子から切り離され、
上記スタンバイ状態では、上記第１の電源回路は非動作状態になって出力側から入力側を見た直流抵抗が所定値以上に大きくなるとともに、上記第２の電源回路の出力端子は上記電気回路の電源端子に接続されることを特徴とする請求項１に記載の降圧電源電圧使用回路。
【請求項７】
上記電気回路の電源端子が上記第１の電源回路の活性状態にある出力端子と上記第２の電源回路の活性状態にある出力端子とに同時に接続される期間を、設けることが可能であることを特徴とする請求項１ないし６のいずれかに記載の降圧電源電圧使用回路。
【請求項８】
上記第１の電源回路の出力電圧は、上記電気回路の動作内容に応じて制御されることを特徴とする請求項１ないし７のいずれかに記載の降圧電源電圧使用回路。
【発明の詳細な説明】
【技術分野】
【０００１】
本発明は，元電源電圧より低い電圧で動作する装置に関するものであり、特に、通常動作電流が流れるオン状態と、ゼロ電流を含む微小動作電流が流れるスタンバイ状態との２状態が存在する回路に関するものである．
【背景技術】
【０００２】
従来、元電源電圧より低い電圧で動作する電気回路を搭載した装置において、動作電流の削減のために、ＤＣ−ＤＣコンバータに代表される高効率降圧電源回路を用いて消費電流を削減する手法がとられる。例を挙げると、特許文献１に開示されている無線機では、動作電流削減のために、無線回路に高効率降圧電源回路であるスイッチングレギュレータ（またはＤＣ−ＤＣコンバータ）により電力を供給するようになっている。
【０００３】
図２０はその構成を記したものである。この構成では、それまで通常、元電源（この例では電池）１３１からスイッチ１３２を介して、終段電力増幅器１２５以外に設けられた送信回路１２６、受信回路・シンセサイザ１２７、制御回路１２８に電力を供給する際に、低効率ではあるが安定度の高い安定化電源回路１２１，１２２，１２３で元電源１３１の電圧を降圧して電力を供給していたのに対し、元電源１３１の電圧を一旦高効率に降圧する電源回路であるスイッチングレギュレータ１０７を介して、上記安定化電源回路１２１，１２２，１２３に電力を供給する。スイッチングレギュレータ１０７が用いる発振信号には、受信回路・シンセサイザ１２７および制御回路１２８を制御する水晶振動子１２４からのクロック信号を用いている。特許文献１では、このように、スイッチングレギュレータ１０７を介して降圧してから、さらに残りの降圧を安定化電源回路１２１，１２２，１２３で行うことにより、消費電流の削減を図っている。つまり、上記従来例では、低効率降圧電源回路である安定化電源で熱として無駄に消費されていた降圧分の電力を、高効率降圧電源回路であるスイッチングレギュレータの効率的な降圧により削減しようとしている。
【特許文献１】特開平９−８３４０４号公報（公開日：１９９７年３月２８日）
【発明の開示】
【発明が解決しようとする課題】
【０００４】
一般的に高効率降圧電源回路であるＤＣ−ＤＣコンバータやスイッチングレギュレータは、電源供給の対象となる回路がオン状態のときに流れる電流値に合わせて変換効率が最大となるように選ばれる。しかし、このような高効率降圧電源回路を用いた場合、電源供給の対象となる回路のオフ状態が状態保持のために微小電流が流れるスタンバイ状態を有するときには、当該スタンバイ状態時に、低効率降圧電源回路である安定化電源（レギュレータ）を用いた場合に較べて、数十倍から数百倍の漏れ電流が流れてしまう。
【０００５】
通常、携帯電話等に用いられる無線回路等では、動作時間を確保するために、動作電流が流れるオン状態と、ゼロ電流を含む微小動作電流が流れるスタンバイ状態との２状態が存在する。特に待ち受け状態ではスタンバイ状態が９９％以上を占め、またスタンバイ状態の間、メモリの状態を保持する目的等で、完全に電源をオフに出来ない場合が殆どである。従って、スタンバイ状態での電流が回路の平均消費電流に大きく影響を与え、待ち受け時間等の基本性能の劣化を生じる。従って、上記携帯電話に用いられるようなオン状態、スタンバイ状態の２状態を有する回路に、上記従来例のような漏れ電流の大きい高効率降圧電源回路を常時接続すると平均動作電流を増大させ、待ち受け時間、消費電流、発熱等の基本性能を劣化させてしまうという問題がある．
本発明は、上記従来の問題点に鑑みなされたものであり、その目的は、オン状態とスタンバイ状態との２状態を有する電気回路に対して電源電圧を降圧して電力を供給するにあたり、平均電流の削減を図ることのできる降圧電源電圧使用回路を実現することにある。
【課題を解決するための手段】
【０００６】
本発明の降圧電源電圧使用回路は、上記課題を解決するために、元電源電圧からの降圧電圧を使用する電気回路を備え、上記電気回路には通常動作電流が流れるオン状態と、微小動作電流が流れるスタンバイ状態とが存在する降圧電源電圧使用回路において、上記電気回路は、上記元電源電圧を上記降圧電圧に降圧し、上記オン状態での降圧効率が高い方の電源回路である第１の電源回路と、上記元電源電圧を上記降圧電圧に降圧する、もしくは上記元電源電圧を直接出力する、上記スタンバイ状態での降圧効率が高い方の電源回路である第２の電源回路とから電力供給されることが可能であり、上記オン状態では上記第１の電源回路から電力供給され、上記スタンバイ状態では上記第２の電源回路から電力供給されることを特徴としている。
【０００７】
上記の発明によれば、オン状態ではオン状態での降圧効率の高い方の電源回路である第１の電源回路から、スタンバイ状態ではスタンバイ状態での降圧効率が高い方の電源回路である第２の電源回路から、電気回路に電力供給されるため、スタンバイ状態における電源回路部での漏れ電流を抑えることができる。この結果、平均電流の削減を図ることのできる降圧電源電圧使用回路を実現することができるという効果を奏する。また、これにより、消費電力の削減、待ち受け時間の向上、発熱の低減が可能になるという効果を奏する。
【０００８】
本発明の降圧電源電圧使用回路は、上記課題を解決するために、上記電気回路の電源端子の、上記第１の電源回路の出力端子への接続と、上記第２の電源回路の出力端子への接続との切り替えを行うスイッチを備えていることを特徴としている。
【０００９】
上記の発明によれば、第１の電源回路および第２の電源回路が出力電圧を出力している状態で、スイッチによる接続切り替えのみで、電気回路のオン状態時には第１の電源回路から電気回路へ、電気回路のスタンバイ状態時には第２の電源回路から電気回路へというように電力供給経路を切り替えることができるという効果を奏する。
【００１０】
本発明の降圧電源電圧使用回路は、上記課題を解決するために、上記スイッチは、上記切り替えを、上記電気回路に上記オン状態および上記スタンバイ状態を指示する信号を用いて行うことを特徴としている。
【００１１】
上記の発明によれば、オン状態およびスタンバイ状態を指示する信号を用いたスイッチによる電力供給経路の切り替えによって、電気回路に電力を供給するので、正確なタイミングで電気回路に適正な電力が供給される。従って、スタンバイ状態における電源回路部での漏れ電流を抑えるとともに第１の電源回路の出力電流を削減することにより、平均電流を大きく削減することのできる降圧電源電圧使用回路を実現することができるという効果を奏する。またこれにより、消費電力の削減、待ち受け時間の向上、発熱の大きな低減が可能になるという効果を奏する。
【００１２】
本発明の降圧電源電圧使用回路は、上記課題を解決するために、上記オン状態で、上記第１の電源回路は動作状態になるとともに上記第２の電源回路は非動作状態になり、上記スタンバイ状態で、上記第１の電源回路は非動作状態になるとともに上記第２の電源回路は動作状態になることを特徴としている。
【００１３】
上記の発明によれば、スタンバイ状態では、第１の電源回路が非動作状態となるので、第１の電源回路そのものの漏れ電流が削減され、降圧電源電圧使用回路の平均電流を非常に小さくすることができるという効果を奏する。また、オン状態では、第２の電源回路が非動作状態となるので、第２の電源回路そのものの漏れ電流が削減されるという効果を奏する。
【００１４】
本発明の降圧電源電圧使用回路は、上記課題を解決するために、上記オン状態で、上記電気回路の電源端子は上記第１の電源回路の出力端子に接続されるとともに、上記第２の電源回路の出力端子は上記第１の電源回路の出力端子から切り離され、上記スタンバイ状態で、上記電気回路の電源端子は上記第２の電気回路の出力端子に接続されるとともに、上記第１の電気回路の出力端子は上記第２の電源回路の出力端子から切り離されることを特徴としている。
【００１５】
上記の発明によれば、非動作状態にある電源回路の、出力側から入力側を見た直流抵抗が小さい場合でも、動作状態にある電源回路から出力された電流の一部が非動作状態にある電源回路の出力端子から流入するのを回避することができるという効果を奏する。
【００１６】
特に、オン状態において、動作状態にある第１の電源回路から非動作状態にある第２の電源回路への電流の流入を防ぐことにより、オン状態での無駄な消費電流を抑えることができるため、平均電流の大きな削減が可能となるという効果を奏する。
【００１７】
本発明の降圧電源電圧使用回路は、上記課題を解決するために、上記オン状態では、上記第１の電源回路は動作状態になるとともに、上記第２の電源回路の出力端子は上記電気回路の電源端子から切り離され、上記スタンバイ状態では、上記第１の電源回路は非動作状態になって出力側から入力側を見た直流抵抗が所定値以上に大きくなるとともに、上記第２の電源回路の出力端子は上記電気回路の電源端子に接続されることを特徴としている。
【００１８】
上記の発明によれば、第２の電源回路を動作状態としたまま、スタンバイ状態で第１の電源回路を非動作状態にするとともに第１の電源回路の出力側から入力側を見た直流抵抗を大きくすることにより、両電源回路から交互に電気回路へ電力供給することができるので、簡単な回路構成で平均電流を小さくすることが可能となるという効果を奏する。
【００１９】
本発明の降圧電源電圧使用回路は、上記課題を解決するために、上記電気回路の電源端子が上記第１の電源回路の活性状態にある出力端子と上記第２の電源回路の活性状態にある出力端子とに同時に接続される期間を、設けることが可能であることを特徴としている。
【００２０】
上記の発明によれば、第１の電源回路からの電力供給期間と第２の電源回路からの電力供給期間とを厳密に区別することが困難な場合に、上記期間を設けることで対応することができるという効果を奏する。例えば、上記期間を、電気回路がオン状態になる瞬間の前に第１の電源回路の立ち上がりに必要な時間として設ければ、第１の電源回路は上記期間から動作状態となるので、電気回路がオン状態になる瞬間には高効率降圧電源回路の出力が立ち上がって充分安定する。これにより、電気回路の動作の安定性が向上するという効果を奏する。
【００２１】
本発明の降圧電源電圧使用回路は、上記課題を解決するために、上記第１の電源回路の出力電圧は、上記電気回路の動作内容に応じて制御されることを特徴としている。
【００２２】
上記の発明によれば、電気回路の動作内容に応じて、高効率降圧電源回路の出力電圧を電気回路の回路状態に合わせるように適時制御することで、電気回路のスタンバイ状態のみならず、オン状態においても、消費電流の極めて小さい構成を実現することができるという効果を奏する。
【発明の効果】
【００２３】
本発明の降圧電源電圧使用回路は、以上のように、元電源電圧からの降圧電圧を使用する電気回路は、元電源電圧を降圧電圧に降圧し、オン状態での降圧効率が高い方の電源回路である第１の電源回路と、元電源電圧を降圧電圧に降圧し、スタンバイ状態での降圧効率が高い方の電源回路である第２の電源回路とから電力供給されることが可能であり、オン状態では第１の電源回路から電力供給され、スタンバイ状態では第２の電源回路から電力供給される。
【００２４】
この結果、平均電流の削減を図ることのできる降圧電源電圧使用回路を実現することができるという効果を奏する。
【００２５】
尚、上記電気回路がスタンバイ状態の時、元電源電圧においても状態保持が可能である場合、本発明における、上記第２の電源回路は、元電源電圧を直接出力する構成でもよい。
【発明を実施するための最良の形態】
【００２６】
〔実施の形態１〕
本発明の一実施の形態について図１および図２に基づいて説明すれば以下の通りである。
【００２７】
図１に、本実施の形態に係る電気機器（降圧電源電圧使用回路）５１の構成を示す。
【００２８】
電気機器５１は、元電源１、電気回路２、低効率降圧電源回路５、および高効率降圧電源回路７を備えている。なお、電気回路２のみ、電気回路２、低効率降圧電源回路５、および高効率降圧電源回路７など、電気回路２を含む様々な組合せの構成を降圧電源電圧使用回路とすることもできる。
【００２９】
元電源１は電池などの直流電源であり、電圧（元電源電圧）Ｖｃを発生している。この他、元電源１としては、ＡＣアダプタなど商用交流電源を整流あるいは降圧整流してさらに平滑化することにより生成した直流電圧を発生するものであってもよく、電気回路２の動作電圧を生成するためのＤＣ入力のレギュレータと見なされる部分に入力される直流電圧を発生するものであればよい。
【００３０】
電気回路２は、低効率降圧電源回路５および高効率降圧電源回路７から電力供給されて動作する任意の回路である。電気回路２は、元電源１の電圧Ｖｃからの降圧電圧を使用するので、動作電圧Ｖｄは電圧Ｖｃより低い。電気回路２には、比較的大きな通常動作電流が流れるオン状態と、通常動作を行う必要がなく待機動作を行うために微小動作電流が流れるスタンバイ状態とがある。電気回路２は電源端子３およびスタンバイ制御端子４を有している。電源端子３は、後述の低効率降圧電源回路５の出力端子６、あるいは、高効率降圧電源回路７の出力端子８から電力供給を受ける端子である。スタンバイ制御端子４はスタンバイ制御信号ｓの入力端子であり、これにスタンバイ制御信号ｓが入力されると、電気回路２の回路状態がオン状態とスタンバイ状態との間で切り替わるようになっている。通常、携帯電話等に備えられる待ち受け状態を有する回路では、オン状態のような動作が不要なときに、回路の動作条件などを保持するためにメモリ等に微小電流を供給し状態保持を行うことが必要となるので、スタンバイ状態が設けられている。
【００３１】
スタンバイ制御信号ｓは、図２（ａ）に示されているように、ＨまたはＬとなる信号であり、Ｈのときに電気回路２をオン状態とし、Ｌのときに電気回路２をスタンバイ状態とする。
【００３２】
低効率降圧電源回路（第２の電源回路）５は、シリーズレギュレータなどの、電気回路２のオン状態で電源内部損失が大きいレギュレータである。元電源１の電圧Ｖｃを電気回路２の動作電圧Ｖｄに降圧し、出力端子６から出力する。低効率降圧電源回路５は、図２（ｂ）に示すように、電気回路２のスタンバイ状態に相当する期間（スタンバイ制御信号ｓがＬの期間）に出力電圧（出力端子６の電圧）がＶｄとなり、電気回路２のオン状態に相当する期間（スタンバイ制御信号ｓがＨの期間）に出力がオフとなる。
【００３３】
高効率降圧電源回路（第１の電源回路）７は、ＤＣ−ＤＣコンバータやスイッチングレギュレータなどの、電気回路２のオン状態で電源内部損失が小さいレギュレータである。元電源１の電圧Ｖｃを電気回路２の動作電圧Ｖｄに降圧し、出力端子８から出力する。高効率降圧電源回路７は、図２（ｃ）に示すように、電気回路２のオン状態に相当する期間（スタンバイ制御信号ｓがＨの期間）に出力電圧（出力端子８の電圧）がＶｄとなり、電気回路２のスタンバイ状態に相当する期間（スタンバイ制御信号ｓがＬの期間）に出力がオフとなる。
【００３４】
電気回路２のオン状態では、高効率降圧電源回路７の方が低効率降圧電源回路５よりも降圧効率が高く、電気回路２のスタンバイ状態では、低効率降圧電源回路５の方が高効率降圧電源回路７よりも降圧効率が高い。電気回路２は、オン状態では高効率降圧電源回路７から電力供給され、スタンバイ状態では低効率降圧電源回路５から電力供給される。ここで、上記両降圧電源回路５，７のそれぞれにおける出力のオン・オフの切り替えは、電気回路２のオン状態とスタンバイ状態とに合わせて行われればよいが、この出力のオン・オフの切り替えが、電気回路２の状態変化に連動するように外部から制御されてもよいし、例えばタイマ等により両降圧電源回路５，７で自立的に行われてもよい。
【００３５】
以上のように、本実施の形態では、上記２電源の出力端子６，８を電気回路２の電源端子３にともに接続することにより、オン状態、スタンバイ状態に応じて、両降圧電源回路５，７から交互に電気回路２へ電力を供給している。従って、オン状態では降圧効率の高い高効率降圧電源回路７から、スタンバイ状態では漏れ電流の極めて少ない低効率降圧電源回路５から、電力が電気回路２に供給されるため、スタンバイ状態における電源回路部での漏れ電流を抑えることができ、電気機器５１は平均電流の削減を図ることのできる機器となる。これにより、消費電力の削減、待ち受け時間の向上、発熱の低減が可能になる。
〔実施の形態２〕
本発明の他の実施の形態について図３および図４に基づいて説明すれば以下の通りである。なお、前記実施の形態１で述べた構成要素と同一の符号を付した構成要素のうち、特に断らない部分については前記構成要素と同等の機能を有するものとし、その説明を省略する。
【００３６】
図３に、本実施の形態に係る電気機器（降圧電源電圧使用回路）５２の構成を示す。
【００３７】
電気機器５２は、元電源１、電気回路２、低効率降圧電源回路５、高効率降圧電源回路７、および切替回路９を備えている。なお、電気回路２を含む様々な組合せの構成を降圧電源電圧使用回路とすることもできる。
【００３８】
切換回路９は、電気回路２の電源端子３を、低効率降圧電源回路５の出力端子６に接続するか、高効率降圧電源回路７の出力端子８に接続するかを切り替える回路である。切替回路９はスイッチ１０を備えている。スイッチ１０はｃ接点動作を行うスイッチであり、低効率降圧電源回路５の出力端子６に接続された端子Ａと、高効率降圧電源回路７の出力端子８に接続された端子Ｂとを備えている。スイッチ１０は、スタンバイ制御信号ｓが入力されることにより、電気回路２の電源端子３を、端子Ａに接続するか端子Ｂに接続するかを切り替える。図４（ａ）に示すようにスタンバイ制御信号ｓがＨとなる期間には、図４（ｂ）のシーケンスに示すようにスイッチ１０は電源端子３を端子Ｂに接続し、電気回路２はオン状態となる。図４（ａ）に示すようにスタンバイ制御信号ｓがＬとなる期間には、図４（ｂ）のシーケンスに示すようにスイッチ１０は電源端子３を端子Ａに接続し、電気回路２はスタンバイ状態となる。
【００３９】
ここで、両降圧電源回路５，７の出力端子６，８には常に出力電圧が出力されており、切換回路９による電源端子３と出力端子６，８との接続切り替えのみで、電気回路２のオン状態時には高効率降圧電源回路７から電気回路２へ、電気回路２のスタンバイ状態時には低効率降圧電源回路５から電気回路２へというように電力供給経路を切り替えている。電気回路２へオン状態およびスタンバイ状態を指示するスタンバイ制御信号ｓによって電力供給経路を切り替えるので、例えば両降圧電源回路５，７がタイマ等で自立的に出力電圧をオン・オフさせることによって、スタンバイ制御信号ｓとの切り替えタイミング差が発生し無駄な消費電流が発生する危険性を回避することができる。
【００４０】
以上のように、本実施の形態では、スタンバイ制御信号ｓを用いたスイッチ１０による電力供給経路の切り替えによって、オン状態では降圧効率の高い高効率降圧電源回路７から、スタンバイ状態では漏れ電流の極めて少ない低効率降圧電源回路５から、電気回路２に電力を供給するので、正確なタイミングで電気回路２に適正な電力が供給される。従って、スタンバイ状態における電源回路部での漏れ電流を抑えるとともに高効率降圧電源回路７の出力電流を削減することにより、電気機器５２は平均電流を大きく削減することのできる機器となる。これにより、消費電力の削減、待ち受け時間の向上、発熱の大きな低減が可能になる。
〔実施の形態３〕
本発明の他の実施の形態について図５および図６に基づいて説明すれば以下の通りである。なお、前記実施の形態１および２で述べた構成要素と同一の符号を付した構成要素のうち、特に断らない部分については前記構成要素と同等の機能を有するものとし、その説明を省略する。
【００４１】
図５に、本実施の形態に係る電気機器（降圧電源電圧使用回路）５３の構成を示す。
【００４２】
電気機器５３は、元電源１、電気回路２、低効率降圧電源回路５、高効率降圧電源回路７、および反転回路１３を備えている。なお、電気回路２を含む様々な組合せの構成を降圧電源電圧使用回路とすることもできる。
【００４３】
電気機器５３では、低効率降圧電源回路５が制御端子１１を、高効率降圧電源回路７が制御端子１２をそれぞれ備えている。制御端子１１には、スタンバイ制御信号ｓの反転回路１３による論理反転信号が入力され、制御端子１２には、スタンバイ制御信号ｓが入力される。低効率降圧電源回路５の出力端子６および高効率降圧電源回路７の出力端子８は、電気回路２の電源端子３に接続されている。
【００４４】
両降圧電源回路５，７は、制御端子１１・１２にスタンバイ制御信号ｓまたはその論理反転信号が入力されることにより、動作状態と非動作状態とが切り替わる。オン状態では、図６（ａ）に示すようにスタンバイ制御信号ｓはＨとなり、制御端子１１にはＬの信号が、制御端子１２にはＨの信号がそれぞれ入力される。これにより、図６（ｂ）に示すように低効率降圧電源回路５は非動作状態（オフ）、高効率降圧電源回路７は動作状態（オン）となる。スタンバイ状態では、図６（ａ）に示すようにスタンバイ制御信号ｓはＬとなり、制御端子１１にはＨの信号が、制御端子１２にはＬの信号がそれぞれ入力される。これにより、図６（ｂ）に示すように低効率降圧電源回路５は動作状態（オン）、高効率降圧電源回路７は非動作状態（オフ）となる。
【００４５】
従って、電気回路２の電源端子３が、低効率降圧電源回路５の出力端子６および高効率降圧電源回路７の出力端子８に接続されたままでありながら、電気回路２のオン状態では、電気回路２は動作状態にある高効率降圧電源回路７から電力供給され、非動作状態にある低効率降圧電源回路５からは電力供給されない。また、電気回路２のスタンバイ状態では、電気回路２は低効率降圧電源回路５から電力供給され、非動作状態にある高効率降圧電源回路７からは電力供給されない。
【００４６】
なお、本実施の形態では、スタンバイ制御信号ｓの論理反転信号を生成するのに、反転回路１３を用いて実現しているが、同等の作用を有する回路を代わりに用いてもよい。
【００４７】
以上のように、本実施の形態では、上記２電源の出力端子６，８を電気回路２の電源端子３にともに接続することにより、オン状態、スタンバイ状態に応じて、両降圧電源回路５，７から交互に電気回路２へ電力を供給している。従って、オン状態では降圧効率の高い高効率降圧電源回路７から、スタンバイ状態では漏れ電流の極めて少ない低効率降圧電源回路５から、電力が電気回路２に供給されるため、スタンバイ状態における電源回路部での漏れ電流を抑えることができ、電気機器５３は平均電流の削減を図ることのできる機器となる。これにより、消費電力の削減、待ち受け時間の向上、発熱の低減が可能になる。
【００４８】
さらには、スタンバイ状態では、高効率降圧電源回路７が非動作状態となるので、高効率降圧電源回路７そのものの漏れ電流が削減される。通常、高効率降圧電源回路の漏れ電流は低効率降圧電源回路の漏れ電流に較べ、数十倍から数百倍以上大きく、スタンバイ状態での消費電流を増加させる場合がある。従って、高効率降圧電源回路７の漏れ電流を削減することで、電気機器５３の平均電流を非常に小さくすることができる。また、オン状態では、低効率降圧電源回路５が非動作状態となるので、低効率降圧電源回路５そのものの漏れ電流も削減される。
〔実施の形態４〕
本発明の他の実施の形態について図７および図８に基づいて説明すれば以下の通りである。なお、前記実施の形態１ないし３で述べた構成要素と同一の符号を付した構成要素のうち、特に断らない部分については前記構成要素と同等の機能を有するものとし、その説明を省略する。
【００４９】
図７に、本実施の形態に係る電気機器（降圧電源電圧使用回路）５４の構成を示す。
【００５０】
電気機器５４は、元電源１、電気回路２、低効率降圧電源回路５、高効率降圧電源回路７、切替回路９、および反転回路１３を備えている。なお、電気回路２を含む様々な組合せの構成を降圧電源電圧使用回路とすることもできる。
【００５１】
電気機器５４は、実施の形態３で述べた電気機器５３と、実施の形態２で述べた電気機器５２の切替回路９とを組み合わせた構成である。電気回路２のオン状態では、図８（ａ）に示すようにスタンバイ制御信号ｓはＨとなり、図８（ｂ）に示すように低効率降圧電源回路５は非能動状態（オフ）、高効率降圧電源回路７は動作状態（オン）となり、図８（ｃ）に示すように切替回路９のスイッチ１０は、電気回路２の電源端子３を端子Ｂ、すなわち高効率降圧電源回路７の出力端子８に接続する。電気回路２のスタンバイ状態では、図８（ａ）に示すようにスタンバイ制御信号ｓはＬとなり、図８（ｂ）に示すように低効率降圧電源回路５は能動状態（オン）、高効率降圧電源回路７は動作状態（オフ）となり、図８（ｃ）に示すように切替回路９のスイッチ１０は、電気回路２の電源端子３を端子Ａ、すなわち低効率降圧電源回路５の出力端子６に接続する。
【００５２】
これにより、電気回路２のオン状態では、電気回路２は動作状態にある高効率降圧電源回路７から電力供給され、非動作状態にある低効率降圧電源回路５からは電力供給されない。また、電気回路２のスタンバイ状態では、電気回路２は低効率降圧電源回路５から電力供給され、非動作状態にある高効率降圧電源回路７からは電力供給されない。
【００５３】
また、電気回路２のオン状態では、低効率降圧電源回路５の出力端子６が高効率降圧電源回路７の出力端子８および電気回路２の電源端子３から切り離され、電気回路２のスタンバイ状態では、高効率降圧電源回路７の出力端子８が低効率降圧電源回路５の出力端子６および電気回路２の電源端子３から切り離される。従って、非動作状態にある降圧電源回路の、出力側から入力側を見た直流抵抗が小さい場合でも、動作状態にある降圧電源回路から出力された電流の一部が非動作状態にある降圧電源回路の出力端子から流入するのを回避することができる。
【００５４】
以上のように、本実施の形態では、オン状態、スタンバイ状態に応じて、両降圧電源回路５，７から交互に電気回路２へ電力を供給している。従って、オン状態では降圧効率の高い高効率降圧電源回路７から、スタンバイ状態では漏れ電流の極めて少ない低効率降圧電源回路５から、電力が電気回路２に供給されるため、スタンバイ状態における電源回路部での漏れ電流を抑えることができ、電気機器５４は平均電流の削減を図ることのできる機器となる。これにより、消費電力の削減、待ち受け時間の向上、発熱の低減が可能になる。
【００５５】
特に、オン状態において、動作状態にある高効率降圧電源回路７から非動作状態にある低効率降圧電源回路５への電流の流入を防ぐことにより、オン状態での無駄な消費電流を抑えることができるため、平均電流の大きな削減が可能となる。
〔実施の形態５〕
本発明の他の実施の形態について図９および図１０に基づいて説明すれば以下の通りである。なお、前記実施の形態１ないし４で述べた構成要素と同一の符号を付した構成要素のうち、特に断らない部分については前記構成要素と同等の機能を有するものとし、その説明を省略する。
【００５６】
図９に、本実施の形態に係る電気機器（降圧電源電圧使用回路）５５の構成を示す。
【００５７】
電気機器５５は、元電源１、電気回路２、低効率降圧電源回路５、高効率降圧電源回路７、および切替回路３０を備えている。なお、電気回路２を含む様々な組合せの構成を降圧電源電圧使用回路とすることもできる。
【００５８】
切替回路３０は、電気回路２の電源端子３および高効率降圧電源回路７の出力端子８を、低効率降圧電源回路５の出力端子６に接続するか否かを切り替えるスイッチ３１を備える回路である。スイッチ３１は、電気回路２のオン状態をノーマリ状態としてスタンバイ制御信号ｓによってａ接点動作を行う単極の切替スイッチである。電源端子３と出力端子８とは常時接続されている。スイッチ３１が閉じた状態（オン）では、電源端子３、出力端子６、および出力端子８が互いに接続され、スイッチ３１が開いた状態（オフ）では、出力端子６は電源端子３および出力端子８から切り離される。
【００５９】
高効率降圧電源回路７は、スタンバイ制御信号ｓが入力される制御端子３２を有しており、電気回路２がオン状態であることを示すスタンバイ制御信号ｓが入力されると、動作状態になり、電気回路２がスタンバイ状態であることを示すスタンバイ制御信号ｓが入力されると、非動作状態になるとともに出力側から入力側を見た直流抵抗が所定値以上となるようになっている。この所定値は、スタンバイ状態において低効率降圧電源回路５の出力端子６から高効率降圧電源回路７の出力端子８へ流入する電流が無視できる程度となるよう、高効率降圧電源回路７の非動作状態において出力段の動作点を変更することによりもしくは出力経路を他の手段によって切り離すことにより、非常に大きく設定される。低効率降圧電源回路５は常に動作状態にある。
【００６０】
オン状態では、図１０（ａ）に示すようにスタンバイ制御信号ｓはＨとなり、図１０（ｂ）に示すように高効率降圧電源回路７は動作状態（オン）になり、図１０（ｃ）に示すようにスイッチ３１は開いた状態（オフ）となる。スタンバイ状態では、図１０（ａ）に示すようにスタンバイ制御信号ｓはＬとなり、図１０（ｂ）に示すように高効率降圧電源回路７は非動作状態（オフ）になり、図１０（ｃ）に示すようにスイッチ３１は閉じた状態（オン）となり、また、出力の上記直流抵抗が所定値以上になる。
【００６１】
これにより、オン状態では、電気回路２は高効率降圧電源回路７から電力供給され、低効率降圧電源回路５からは電力供給されない。また、スタンバイ状態では、電気回路２は効率降圧電源回路５から電力供給され、高効率降圧電源回路７からは電力供給されない。
【００６２】
以上のように、本実施の形態では、オン状態、スタンバイ状態に応じて、両降圧電源回路５，７から交互に電気回路２へ電力を供給している。従って、オン状態では降圧効率の高い高効率降圧電源回路７から、スタンバイ状態では漏れ電流の極めて少ない低効率降圧電源回路５から、電力が電気回路２に供給されるため、スタンバイ状態における電源回路部での漏れ電流を抑えることができ、電気機器５５は平均電流の削減を図ることのできる機器となる。これにより、消費電力の削減、待ち受け時間の向上、発熱の低減が可能になる。
【００６３】
また、本実施の形態では低効率降圧電源回路５を常に動作状態とするが、これは、シリーズレギュレータに代表される低効率降圧電源回路５が漏れ電流を極めて小さくできることに着目したことによる。動作状態にある低効率降圧電源回路５の漏れ電流が電気回路２の消費電流に占める割合は極めて小さいので、スタンバイ状態、オン状態に関わらず低効率降圧電源回路５を動作状態とすることにより、回路規模の削減を図っている。
【００６４】
そして、低効率降圧電源回路５が単極の切替スイッチであるスイッチ３１により、オン状態の期間だけ電気回路２から切り離されるというように、本実施の形態ではシンプルな構成の単極スイッチとその制御のみで電気回路２への両降圧電源回路５，７の出力を切り替えることが可能となっている。
【００６５】
従って、本実施の形態によれば、高効率降圧電源回路７がスタンバイ状態で非動作状態となり、さらに出力端子８が高直流抵抗状態となることにより、低効率降圧電源回路５の制御回路並びに切替回路９を簡素化し、低消費電流で回路構成が簡単な機器の実現が可能となる。
〔実施の形態６〕
本発明の他の実施の形態について図１１および図１２に基づいて説明すれば以下の通りである。なお、前記実施の形態１ないし５で述べた構成要素と同一の符号を付した構成要素のうち、特に断らない部分については前記構成要素と同等の機能を有するものとし、その説明を省略する。
【００６６】
図１１に、本実施の形態に係る電気機器（降圧電源電圧使用回路）５６の構成を示す。
【００６７】
電気機器５６は、元電源１、電気回路２、低効率降圧電源回路５、高効率降圧電源回路７、および切替回路３０を備えている。なお、電気回路２を含む様々な組合せの構成を降圧電源電圧使用回路とすることもできる。
【００６８】
電気機器５６は、実施の形態５で述べた電気機器５５において、高効率降圧電源回路７の制御端子３２に、スタンバイ制御信号ｓに代えてプリスタンバイ制御信号ｐｓが入力されるようにした構成である。尚、プリスタンバイ制御信号ｐｓとして、電気回路２中に、オン状態に遷移するまでに時間を要するブロック（例えば、周波数が安定するまでの立ち上がり時間が必要な発振器等）が存在する場合は、これらブロックを制御する信号（図中波線で示した信号）を用いてもよい。
【００６９】
一般に、スイッチングレギュレータ等で代表される高効率降圧電源回路７は、非動作状態から安定した動作状態になるまで立ち上がり時間を必要とする場合がある。従って、スタンバイ制御信号ｓがスタンバイ状態を指示する信号からオン状態を指示する信号に切り替わった場合に、これと同じタイミングで、電気回路２に電力供給を行う電源回路が低効率降圧電源回路５から高効率降圧電源回路７へと切り替わると、期間で高効率降圧電源回路７が充分に立ち上がるまでの遷移期間で電気回路２の動作が不安定になる場合がある。
【００７０】
本実施の形態では、このような問題を解決するために、電気回路２がスタンバイ状態からオン状態（もしくはこの逆）に遷移する場合に、高効率降圧電源回路７の動作を開始させてから出力が安定するまでの期間だけ、両降圧電源回路５，７の出力を同時に電気回路２に接続し、当該期間が終了したら、高効率降圧電源回路７のみ（上記逆の場合は低効率降圧電源回路５のみ）で電気回路２に電力を供給する。この制御に前記プリスタンバイ制御信号ｐｓを用いる。
【００７１】
プリスタンバイ制御信号ｐｓは、図１２（ｃ）に示すように高効率降圧電源回路７の非動作状態から動作状態への立ち上がり時間をＴｓとすると、図１２（ｂ）に示すように、電気回路２がオン状態となる瞬間（図中1)の時刻）から時間Ｔｓだけ前に立ち上がる。すなわち、図１２（ａ）に示すスタンバイ制御信号ｓより時間Ｔｓだけ前に立ち上がる。高効率降圧電源回路７は、プリスタンバイ制御信号ｐｓにより次第に立ち上がるが、このように設けられた時間Ｔｓの期間では切替回路３０のスイッチ３１がオン状態であるので、低効率降圧電源回路５の活性状態にある出力端子６と、高効率降圧電源回路７の活性状態にある出力端子８とが、同時に電気回路２の電源端子３に接続される。スイッチ３１の動作は、図１２（ｄ）に示すように、図１０（ｃ）と同様であり、低効率降圧電源回路５の出力端子６は、電気回路２のオン状態の期間のみ、電気回路２の電源端子３および高効率降圧電源回路７の出力端子８から切り離される。
【００７２】
電気回路２がオン状態となるときには、高効率降圧電源回路７の出力は立ち上がって充分安定しており、電気回路２は正常に動作することができる。また、電気回路２がオン状態からスタンバイ状態になるときには、スイッチ３１が閉じた状態（オン）となるが、高効率降圧電源回路７の出力端子８は、図１２（ｃ）に示すように、充電電荷が充分に放出されるまで活性状態にあり、この立ち下がり期間にも、低効率降圧電源回路５の活性状態にある出力端子６と、高効率降圧電源回路７の活性状態にある出力端子８とが、同時に電気回路２の電源端子３に接続される。
【００７３】
以上のように、本実施の形態によれば、低効率降圧電源回路５の活性状態にある出力端子６と、高効率降圧電源回路７の活性状態にある出力端子８とが、同時に電気回路２の電源端子３に接続される期間を設けるので、低効率降圧電源回路５からの電力供給期間と高効率降圧電源回路７からの電力供給期間とを厳密に区別することが困難な場合に対応できる構成を提供することができる。上記例では、高効率降圧電源回路７は、プリスタンバイ制御信号ｐｓにより、電気回路２がオン状態になる瞬間より立ち上がりに必要な時間Ｔｓだけ前に動作状態となるので、電気回路２がオン状態になる瞬間には、高効率降圧電源回路７の出力は立ち上がって充分安定している。これにより、電気回路２の動作の安定性が向上する。また、高効率降圧電源回路７が立ち上がっている時間Ｔｓの期間は、同時に低効率降圧電源回路５の出力も電気回路２に供給されており、スタンバイ状態での安定性も確保されている。尚、通常、時間Ｔｓは非常に短い期間であるので、高効率降圧電源回路７の立ち上がる過程で、高効率降圧電源回路７の出力端子８から低効率降圧電源回路５の出力端子６に流入する電流は無視することが可能である。
【００７４】
なお、上記例は、実施の形態５に対して、低効率降圧電源回路５の活性状態にある出力端子６と、高効率降圧電源回路７の活性状態にある出力端子８とが、同時に電気回路２の電源端子３に接続される構成を適用した場合のものであるが、これに関わらず、実施の形態１ないし４に対しても同様に適用することにより、同様の効果を得ることが可能である。
【００７５】
このように、本実施の形態によれば、プリスタンバイ制御信号ｐｓを用いて高効率降圧電源回路７を制御することにより、より安定でかつ消費電流の小さな電気回路の実現が可能となる。
〔実施の形態７〕
本発明の他の実施の形態について図１３ないし図１９に基づいて説明すれば以下の通りである。なお、前記実施の形態１ないし６で述べた構成要素と同一の符号を付した構成要素のうち、特に断らない部分については前記構成要素と同等の機能を有するものとし、その説明を省略する。
【００７６】
図１３に、本実施の形態に係る電気機器（降圧電源電圧使用回路）５７の構成を示す。
【００７７】
電気機器５７は、元電源１、電気回路２、低効率降圧電源回路５、高効率降圧電源回路７、および切替回路３０を備えている。なお、電気回路２を含む様々な組合せの構成を降圧電源電圧使用回路とすることもできる。
【００７８】
電気機器５７は、実施の形態６で述べた電気機器５６において、電気回路２に端子１５を設けるとともに高効率降圧電源回路７に制御端子１６を設けた構成である。
【００７９】
電気回路２は、端子１５から、電気回路２が例えば携帯電話などに用いられている無線受信回路、無線送信回路である場合に、受信状態や送信状態といった動作内容を示す動作内容信号ｋを出力する。動作内容信号ｋは、高効率降圧電源回路７の制御端子１６に入力される。高効率降圧電源回路７は、入力された動作内容信号ｋに応じて出力電圧を適時制御することのできる機能を有する。スイッチングレギュレータに代表される高効率降圧電源回路７には、動作状態でその出力電圧を適当に変化させることのできるものがあり、本実施の形態ではそれを用いている。
【００８０】
以下に、本実施の形態における第１の例として、電気機器５７が受信回路を含む場合の構成を説明する。
【００８１】
図１４は、電気回路２として、アンテナ１７から受信した信号を増幅する受信回路を想定したものである。受信回路は受信増幅器１８を備えており、受信増幅器１８は、動作内容信号ｋとして信号強度信号（以下、ＲＳＳＩ信号（Receiving Signal Strength Indicator）と称する）を端子１５に出力する機能を有している。増幅された信号は端子ＯＵＴから出力される。図１５は、電源端子３の電圧Ｖｄと、電源端子３の電流、および雑音指数（ＮＦ）との関係を示したものである。一般に信号に対して、増幅器の雑音特性が影響を与える場合（本例ではＲＳＳＩが低い場合）は、受信増幅器１８の雑音指数を低く（雑音が少ない）しなければならないため、電源端子３の電圧Ｖｄを上昇させて電流を増加させる必要がある（例えば電圧Ｖｄが２．８Ｖ程度）。これに対し、信号に対し増幅器の雑音特性が大きな影響を与えない場合（本例ではＲＳＳＩが高い場合）は、電流を減少させても、あるいは受信増幅器１８の雑音指数が高くても、十分な信号対雑音比が確保できるため、通信に影響を与えないと考えられる（例えば電圧Ｖｄが２Ｖ程度）。
【００８２】
そこで第１の例では、電気回路２の端子１５に生じるＲＳＳＩ信号を、高効率降圧電源回路７の制御端子１６に入力することで、電気回路２の電源端子３に流入する電流が最適となるように、高効率降圧電源回路７の出力電圧（出力端子８の電圧）を適時制御している。
【００８３】
図１６は、第１の例の各部の制御状態を示したものである。図１６（ａ）のスタンバイ制御信号ｓ、図１６（ｂ）のプリスタンバイ制御信号ｐｓ、および図１６（ｅ）のスイッチ３１の状態は、実施の形態６で述べた図１２と同様である。ここで電気回路２のオン状態に着目し、図１６（ｃ）の受信増幅器１８のＲＳＳＩ信号と、図１６（ｄ）の高効率降圧電源回路７の出力電圧（出力端子８の電圧、すなわち電源端子３の電圧Ｖｄ）とを比較すると、図１５に従って、低雑音雑音の要求されない信号強度（ＲＳＳＩ）の高い場合には、高効率降圧電源回路７の出力電圧が低く設定されており、電流が小さく設定されている。また、低雑音雑音が要求される信号強度（ＲＳＳＩ）の低い場合には、高効率降圧電源回路７の出力電圧が高く設定されており、雑音指数が低く設定されている。
【００８４】
上記のように、第１の例では、電気回路２の動作内容信号ｋとして、受信増幅器１８のＲＳＳＩ信号を用い、これにより高効率降圧電源回路７の出力電圧を適時制御することで、消費電流の削減を図ることが可能となる。図１５から分かるように、電源端子３に流れる電流を減少させることは、受信増幅器１８に供給する電力、すなわち高効率降圧電源回路７の出力電力を削減することに相当しているため、消費電力を削減することができる。また、電源端子３に流れる電流を増加させることは、受信増幅器１８に供給する電力、すなわち高効率降圧電源回路７の出力電力を増加させることに相当している。従って、高効率降圧電源回路７の出力電力は、ＲＳＳＩ信号に応じて高効率降圧電源回路７の出力電圧が制御されることにより制御される。このようにして、電気回路２のオン状態における電気機器５７の消費電力を変化させることができる。
【００８５】
次に、本実施の形態における第２の例として、電気機器５７が送信回路を含む場合の構成を説明する。
【００８６】
図１７は、電気回路２として、アンテナ１７から送信する信号を増幅する送信回路を想定したものである。電気回路２は、送信用の電力増幅器１９と、送信電力を制御する送信電力制御回路２０とを備えている。更に本構成では、送信電力制御回路２０は送信電力増幅器１９の送信出力を送信電力制御信号ｐｃによって制御するとともに、電気回路２の動作内容信号ｋとして送信電力制御信号ｐｃを端子１５より出力する機能を有している。
【００８７】
図１８に、電力増幅器１９の送信電力（図中ＰＡＭ出力）と、電源端子３の電圧Ｖｄ（図中Ｖｃｃ電圧）およびそのときのＶｃｃに対して電源端子３より流入する電流値（図中消費電流）との関係を示す特性例を示す。これから分かるように、高い送信電力が要求される場合は、電力増幅器１９の電源端子３の電圧Ｖｄを、例えば＋２４ｄＢｍ時に３．４Ｖ程度まで高くする必要があり、電流として約２３０ｍＡ程度を流す必要がある。これに対し、高い送信電力が要求されない場合は、電力増幅器１９の電源端子３の電圧Ｖｄを、例えば０ｄＢｍ時に０．３Ｖ程度まで抑えることができ、電流も約８０ｍＡ程度まで削減することが可能である。
【００８８】
図１９は、第２の例における各部の制御状態を示したものである。図１９（ａ）のスタンバイ制御信号ｓ、図１９（ｂ）のプリスタンバイ制御信号ｐｓ、および図１９（ｅ）のスイッチ３１の状態は、実施の形態６で述べた図１２と同様である。ここでオン状態に着目し、図１９（ｃ）の送信電力制御回路２０が出力する送信電力制御信号ｐｃ（端子１５から出力される信号）と、図１９（ｄ）の高効率降圧電源回路７の出力電圧（出力端子８の電圧、すなわち電源端子３の電圧Ｖｄ）を比較すると、高出力が要求される場合は図１８に従って高効率降圧電源回路７の出力電圧には高い電圧が設定され、低送信出力時は電源端子３の電圧Ｖｄは高い値である必要がないので、電源端子３の電圧Ｖｄが低く設定されており、従って電流が低く設定されている。
【００８９】
第２の例では、電気回路２の動作内容信号ｋとして、電力増幅器１９の電力を制御する送信電力制御回路２０からの送信電力制御信号ｐｃを用い、これにより高効率降圧電源回路７を適時制御することで、消費電流の削減を図ることが可能となる。図１７から分かるように、電源端子３に流れる電流を減少させることは、電力増幅器１９に供給する電力、すなわち高効率降圧電源回路７の出力電力を削減することに相当しているため、消費電力を削減することができる。また、電源端子３に流れる電流を増加させることは、電力増幅器１９に供給する電力、すなわち高効率降圧電源回路７の出力電力を増加させることに相当している。従って、高効率降圧電源回路７の出力電力は、送信電力制御信号ｐｃに応じて高効率降圧電源回路７の出力電圧が制御されることにより制御される。このようにして、電気回路２のオン状態における電気機器５７の消費電力を変化させることができる。
【００９０】
以上のように、本実施の形態によれば、電気回路２の動作内容信号ｋに応じて、高効率降圧電源回路７の出力電圧を電気回路２の回路状態に合わせるように適時制御することで、電気回路２のスタンバイ状態のみならず、オン状態においても、消費電流の極めて小さい構成を実現することができる。
【００９１】
尚、本発明において、上記電気回路がスタンバイ状態の時、元電源電圧においても状態保持が可能である場合、本発明における実施形態１から７で説明した第２の電源回路は、元電源電圧を直接出力する構成でもよい。
【００９２】
又、本発明における降圧電源電圧使用回路は、全体もしくは一部の構成が半導体回路として実現される場合もある。
【産業上の利用可能性】
【００９３】
本発明は、電池の電源電圧を降圧して使用する携帯機器など、降圧電源電圧を使用する各種機器に適用することができる。
【図面の簡単な説明】
【００９４】
【図１】本発明の第１の実施形態を示すものであり、降圧電源電圧使用回路の構成を示す回路ブロック図である。
【図２】図１の降圧電源電圧使用回路の動作を説明するタイミングチャートである。
【図３】本発明の第２の実施形態を示すものであり、降圧電源電圧使用回路の構成を示す回路ブロック図である。
【図４】図３の降圧電源電圧使用回路の動作を説明するタイミングチャートである。
【図５】本発明の第３の実施形態を示すものであり、降圧電源電圧使用回路の構成を示す回路ブロック図である。
【図６】図５の降圧電源電圧使用回路の動作を説明するタイミングチャートである。
【図７】本発明の第４の実施形態を示すものであり、降圧電源電圧使用回路の構成を示す回路ブロック図である。
【図８】図７の降圧電源電圧使用回路の動作を説明するタイミングチャートである。
【図９】本発明の第５の実施形態を示すものであり、降圧電源電圧使用回路の構成を示す回路ブロック図である。
【図１０】図９の降圧電源電圧使用回路の動作を説明するタイミングチャートである。
【図１１】本発明の第６の実施形態を示すものであり、降圧電源電圧使用回路の構成を示す回路ブロック図である。
【図１２】図１１の降圧電源電圧使用回路の動作を説明するタイミングチャートである。
【図１３】本発明の第７の実施形態を示すものであり、降圧電源電圧使用回路の構成を示す回路ブロック図である。
【図１４】図１３の降圧電源電圧使用回路に備えられる電気回路の第１の構成を示す回路ブロック図である。
【図１５】図１４の電気回路の特性を示すグラフである。
【図１６】図１３の降圧電源電圧使用回路に図１４の電気回路を備えたときの動作を説明するタイミングチャートである。
【図１７】図１３の降圧電源電圧使用回路に備えられる電気回路の第２の構成を示す回路ブロック図である。
【図１８】図１７の電気回路の特性を示すグラフである。
【図１９】図１３の降圧電源電圧使用回路に図１７の電気回路を備えたときの動作を説明するタイミングチャートである。
【図２０】従来技術を示すものであり、降圧電源電圧使用回路の構成を示す回路ブロック図である。
【符号の説明】
【００９５】
１            元電源
２            電気回路
３            電源端子
５            低効率降圧電源回路（第２の電源回路）
６            出力端子
７            高効率降圧電源回路（第１の電源回路）
８            出力端子
１０          スイッチ
５１〜５７    電気機器（降圧電源電圧使用回路）
Ｖｃ          電圧（元電源電圧）
【図１】
2005269750.tif 000003
【図２】
2005269750.tif 000004
【図３】
2005269750.tif 000005
【図４】
2005269750.tif 000006
【図５】
2005269750.tif 000007
【図６】
2005269750.tif 000008
【図７】
2005269750.tif 000009
【図８】
2005269750.tif 000010
【図９】
2005269750.tif 000011
【図１０】
2005269750.tif 000012
【図１１】
2005269750.tif 000013
【図１２】
2005269750.tif 000014
【図１３】
2005269750.tif 000015
【図１４】
2005269750.tif 000016
【図１５】
2005269750.tif 000017
【図１６】
2005269750.tif 000018
【図１７】
2005269750.tif 000019
【図１８】
2005269750.tif 000020
【図１９】
2005269750.tif 000021
【図２０】
2005269750.tif 000022